(57)【特許請求の範囲】
【請求項１】
前面ガラスとの間に第１の遊技領域を形成する前面パネルと、この前面パネルの背後に第２の遊技領域を形成する裏パネルと、第１の前記遊技領域を流下する遊技球を第２の前記遊技領域に導出する導出口と、この導出口より導出されて第２の前記遊技領域を流下する前記遊技球を再び第１の前記遊技領域へ導入する導入口とを備え、前記前面パネルは前記裏パネルとの間で第２の前記遊技領域を形成する部分が透視性を持つ材料で形成され、
流下する遊技球を弾く障害釘が、頭部を第１の前記遊技領域に突出させた状態または前記前面パネルの盤面と面一の状態で、前記前面パネルを貫通して前記裏パネルに植設されている弾球遊技機。
【請求項２】
第２の前記遊技領域を流下する遊技球を回収する回収口または入賞すると賞球が払い出される入賞口が前記裏パネルに設けられていることを特徴とする請求項１に記載の弾球遊技機。
【請求項３】
前記裏パネルは前記前面パネルの背後の全域または一部に設けられていることを特徴とする請求項１または請求項２に記載の弾球遊技機。
【発明の詳細な説明】
【０００１】
【発明の属する技術分野】
本発明は、前面ガラスとパネルとの間に形成された遊技領域を遊技球が流下する弾球遊技機に関するものである。
【０００２】
【従来の技術】
従来、この種の弾球遊技機としては、例えば、パチンコ機がある。
【０００３】
一般的に、パチンコ機では、前面ガラスとパネルとの間に形成された遊技領域に遊技球であるパチンコ球が弾発される。遊技領域に弾発されたパチンコ球は、パネルに植設された多数の障害釘に弾かれ、羽根車に絡みながら流下し、その進路を変えたり、各種入賞口に入賞したりする。パチンコ球が一般入賞口に入賞すると、所定数の賞球が払い出される。また、始動入賞口に入賞すると可変表示装置が始動し、可変表示ゲームが行われる。何れの入賞口にも入賞しなかったパチンコ球は盤面下部に設けられたアウト口に流入して回収される。このように、従来の一般的なパチンコ機においては、パチンコ球は遊技盤面に沿った平面領域を流下する。
【０００４】
しかし、なかには、羽根車の背後の遊技盤に奥行きを設け、羽根車に絡んだパチンコ球をこの奥行きに導いてパチンコ球の動きに立体的な動きを与え、視覚効果を得るパチンコ機もある（特開平６−２３８０３７号公報参照）。また、入賞口の背後に通路を設け、入賞口へ入賞したパチンコ球がこの通路を通って別途設けられた出口よりもとの盤面の遊技領域へ再び戻る構成のパチンコ機もある（特開平６−１９８０３３号公報参照）。また、遊技盤面にアーチ状の曲面を持つ突起部を設け、流下するパチンコ球をこの曲面においてジャンプさせて前面側に迫り出させる構成のパチンコ機もある（特開昭５６−８５３７３号公報参照）。
【０００５】
【発明が解決しようとする課題】
しかしながら、従来の一般的なパチンコ機においては、上記のように、パチンコ球が流下する遊技盤面は１平面で構成されており、パチンコ球の動きはこの遊技盤面に沿った２次元の動きに制約されている。また、最近のパチンコ機は、遊技盤面において可変表示装置が占める領域が広いため、パチンコ球が流下する領域は狭められている。従って、従来、遊技中のパチンコ球の動きは、変化に乏しく、面白味の無いものであった。
【０００６】
また、遊技領域の一部にパチンコ球の動きを立体的にする装置を設けて視覚効果の向上を図った従来のパチンコ機においても、パチンコ球が立体的な動きをするのは、遊技領域のごく一部に限られており、その動きも極めて小さいため、遊技者に与える印象は弱かった。
【０００７】
【課題を解決するための手段】
本発明はこのような課題を解決するためになされたもので、前面ガラスとの間に第１の遊技領域を形成する前面パネルと、この前面パネルの背後に第２の遊技領域を形成する裏パネルと、第１の遊技領域を流下する遊技球を第２の遊技領域に導出する導出口と、この導出口より導出されて第２の遊技領域を流下する遊技球を再び第１の遊技領域へ導入する導入口とを備え、前面パネルは裏パネルとの間で第２の遊技領域を形成する部分が透視性を持つ材料で形成され、流下する遊技球を弾く障害釘が、頭部を第１の遊技領域に突出させた状態または前面パネルの盤面と面一の状態で、前面パネルを貫通して裏パネルに植設されている弾球遊技機を構成した。
【０００８】
このような構成においては、前方の第１の遊技領域へ弾発された遊技球は、流下中に導出口に導かれると、この導出口を介して後方の第２の遊技領域へ導かれる。後方の第２の遊技領域へ導かれた遊技球は、この第２の遊技領域を流下した後、導入口を介して再び前方の第１の遊技領域へ導かれる。従って、遊技球は、前方の第１の遊技領域から後方の第２の遊技領域へ、あるいは後方の第２の遊技領域から前方の第１の遊技領域へと移動することにより、広範囲にわたって３次元の動きをする。また、このような構成においては、１本の障害釘が前面パネルと裏パネルとに共用され、構成部品点数の増加が抑制される。また、前面パネルを取り外すことなく、裏パネルに障害釘を植設することが出来る。
【０００９】
また、本発明は、第２の遊技領域を流下する遊技球を回収する回収口または入賞すると賞球が払い出される入賞口が裏パネルに設けられていることを特徴とする。
【００１０】
このような構成においては、第２の遊技領域を流下する遊技球が回収口に回収されることにより、また、入賞口に入賞することにより、遊技球の動きにより大きな変化が与えられる。
【００１３】
【発明の実施の形態】
次に、本発明による弾球遊技機をパチンコ機に適用した一実施形態について説明する。
【００１４】
図１は本実施形態によるパチンコ機１の正面斜視図である。パチンコ機１は前面パネル２とその背後に設けられた裏パネル３ａ，３ｂとからなる２重パネル部分を有している。前面ガラス４と前面パネル２との間には第１の遊技領域が形成され、前面パネル２と裏パネル３ａ，３ｂとの間には第２の遊技領域が形成されている。アクリル樹脂等の透明な樹脂で形成された前面パネル２には、盤面全体に亘って多数の障害釘５が植設されており、各所に一般入賞口６および風車７が設けられている。前面パネル２の盤面中央には可変表示を行う可変表示装置である液晶表示装置８が設けられている。この液晶表示装置８の下方には、可変表示ゲーム開始のきっかけとなる入賞を発生させる始動入賞口９が設けられており、始動入賞口９の下方にはアタッカ１０が設けられている。また、前面パネル２の最下部には、流下したパチンコ球を盤面から排出して回収するアウト口１１が設けられている。
【００１５】
透明な前面パネル２にはキャラクタ絵柄等が描かれたシートが貼られて背後が見えないようになっているが、始動入賞口９の左右においてはシートが貼られていない透視性を有する透明部２ａ，２ｂが確保されている。この透明部２ａ，２ｂを透して後方の裏パネル３ａ，３ｂを観察することが出来る。裏パネル３ａ，３ｂは、樹脂または木材により前面パネル２の透明部２ａ，２ｂの形状に応じた形状に形成されており、前面パネル２の透明部２ａ，２ｂのそれぞれの背後に、前面パネル２の盤面と平行に設置されている。
【００１６】
図２は、前面パネル２の左側の透明部２ａとその背後の裏パネル３ａとの構成を示す一部拡大正面斜視図である。前面パネル２の透明部２ａとその背後の裏パネル３ａとの間にはガイドレール１４が設けられており、パチンコ球が裏パネル３ａの盤面に沿って流下する空間、つまり、第２の遊技領域が確保されている。透明部２ａの盤面には上述した障害釘５が植設されており、裏パネル３ａの盤面には、前面パネル２の透明部２ａを貫通する障害釘１５が植設されている。また、裏パネル３ａにも、入賞すると所定数のパチンコ球を払い出させる一般入賞口１６および第２の遊技領域に流入したパチンコ球をアウト球として盤面より排出して回収するアウト口１７が設けられている。前面パネル２の透明部２ａの盤面には、第１の遊技領域を流下するパチンコ球を背後の第２の遊技領域３ａへ導出する導出口１８ａ，１８ｂ，１８ｃが設けられている。また、透明部２ａの盤面下部には、導出口１８より第２の遊技領域へ導出されたものの、一般入賞口１６あるいはアウト口１７へ流入せずに流下したパチンコ球を再び第１の遊技領域へ導入する導入口１９が孔状に形成されている。
【００１７】
図３は図２に示す透明部２ａおよび裏パネル３ａの縦断面図である。なお、同図において図２と同一部分には同一符号を付してその説明は省略する。同図に示すように、障害釘１５は、その頭部を第１の遊技領域に突出させた状態、および前面パネル２の盤面と面一の状態で、前面パネル２を貫通して裏パネル３ａに植設されている。頭部を第１の遊技領域に突出させた障害釘１５は、第１および第２の各遊技領域で流下するパチンコ球を弾く。また、頭部が前面パネル２の盤面と面一になった障害釘１５は、第２の遊技領域においてのみ、流下するパチンコ球を弾く。
【００１８】
前面パネル２の右側の透明部２ｂとその背後の裏パネル３ｂとの構成も上述した図２および図３と同様に構成されている。
【００１９】
このような構成において、前面パネル２の盤面前面の第１の遊技領域へと打ち込まれたパチンコ球は、障害釘５に弾かれ、風車７に絡みながら不特定の方向に盤面を流下していく。流下するパチンコ球が一般入賞口６に入賞すると、所定数の賞球が上皿１２に払い出される。また、始動入賞口９へ入賞すると、液晶表示装置８において可変表示ゲームが開始される。可変表示ゲームの結果、大当たり入賞が発生すると、アタッカ１０が開放して多数のパチンコ球を入賞させることが可能となる。
【００２０】
また、第１の遊技領域を流下するパチンコ球が導出口１８ａ，１８ｂ，１８ｃへ流入すると、このパチンコ球は、例えば図３の矢印に示すように裏パネル３ａの盤面前面の第２の遊技領域へ導出され、障害釘１５に弾かれながら第２の遊技領域を流下する。流下中に一般入賞口１６へ入賞すると、所定数のパチンコ球が上皿１２に払い出される。また、一般入賞口１６へ入賞せず、アウト口１７へ流入すると、アウト球として盤面から排出される。一般入賞口１６およびアウト口１７の何れへも入らなかったパチンコ球は、さらに流下し、図２に示したガイドレール１４に沿って、また、直接に導入口１９に入り、再び第１の遊技領域へと導入される。そして、再び第１の遊技領域を流下する。
【００２１】
このような本実施形態によるパチンコ機１によれば、前面パネル２の盤面前面の第１の遊技領域へと打ち込まれたパチンコ球は、流下中に導出口１８ａ，１８ｂ，１８ｃへ導かれると、これらの導出口１８ａ，１８ｂ，１８ｃを介して裏パネル３ａ，３ｂの盤面前面の第２の遊技領域へ導かれる。第２の遊技領域へ導かれたパチンコ球は、この第２の遊技領域を流下した後、導入口１９を介して再び第１の遊技領域へ導かれる。従って、パチンコ球は、前方の第１の遊技領域から後方の第２の遊技領域へ、あるいは後方の第２の遊技領域から前方の第１の遊技領域へと移動することにより、広範囲にわたって３次元の動きをする。この結果、パチンコ球の立体的な動きが遊技者に与える視覚効果は向上し、パチンコ球の挙動が遊技者に与える印象が強くなって遊技の面白味は増す。
【００２２】
また、第２の遊技領域を流下するパチンコ球がアウト口１７に回収されることにより、あるいは、一般入賞口１６に入賞することにより、パチンコ球の動きにより大きな変化が与えられる。このため、遊技の面白味はさらに増す
また、１本の障害釘１５が前面パネル２と裏パネル３ａ，３ｂとに共用され、構成部品点数の増加が抑制される。このため、パチンコ機１の製品コストの増加が抑制される。また、前面パネル２を取り外すことなく、裏パネル３ａ，３ｂに障害釘１５を植設することが出来る。このため、障害釘１５の植設作業の増加が抑制され、パチンコ機１の製造コストの増加が抑制される。
【００２３】
なお、本実施形態においては、前面パネル２に部分的に透明部２ａ，２ｂを設け、その背後に裏パネル３ａ，３ｂを設ける構成としたが、前面パネル２の遊技領域全面を透明のまま確保し、その背後全体に裏パネル３を設ける構成としてもよい。このような構成にすると、さらに広範囲にわたってパチンコ球の動きに変化が加わる。従って、遊技者に与える視覚効果もさらに向上し、遊技の面白味もさらに増す。
【００２４】
また、本実施形態においては、裏パネル３ａ，３ｂへの障害釘１５の植設は、図２および図３に示すように前面パネル２を貫通させて行った。しかし、図４に示すように、前面パネル２および裏パネル３ａ，３ｂにそれぞれ独立して障害釘５を植設するようにしてもよい。なお、同図において図２と同一または相当する部分には同一符号を付してその説明は省略する。この場合においても、パチンコ球は同図に示す矢印のように第１の遊技領域と第２の遊技領域との間を行き来し、上記実施形態と同様な作用・効果が奏される。
【００２５】
【発明の効果】
以上説明したように本発明によれば、前方の第１の遊技領域へ弾発された遊技球は、流下中に導出口に導かれると、この導出口を介して後方の第２の遊技領域へ導かれる。後方の第２の遊技領域へ導かれた遊技球は、この第２の遊技領域を流下した後、導入口を介して再び前方の第１の遊技領域へ導かれる。従って、遊技球は、前方の第１の遊技領域から後方の第２の遊技領域へ、あるいは後方の第２の遊技領域から前方の第１の遊技領域へと移動することにより、広範囲にわたって３次元の動きをする。この結果、遊技球の立体的な動きが遊技者に与える視覚効果は向上し、遊技球の挙動が遊技者に与える印象が強くなって遊技の面白味は増す。
【００２６】
また、第２の遊技領域を流下する遊技球が回収口に回収されることにより、あるいは、入賞口に入賞することにより、遊技球の動きにより大きな変化が与えられる。このため、遊技の面白味はさらに増す。
【００２７】
また、１本の障害釘が前面パネルと裏パネルとに共用され、構成部品点数の増加が抑制される。このため、弾球遊技機の製品コストの増加が抑制される。また、前面パネルを取り外すことなく、裏パネルに障害釘を植設することが出来る。このため、障害釘の植設作業の増加が抑制され、弾球遊技機の製造コストの増加が抑制される。
【図面の簡単な説明】
【図１】本発明の一実施形態によるパチンコ機の正面斜視図である。
【図２】本発明の一実施形態によるパチンコ機における２重パネル部分の構成を示す一部拡大正面斜視図である。
【図３】図２に示す２重パネル部分の障害釘の植設構造を示す縦断面図である。
【図４】本発明の一実施形態によるパチンコ機における２重パネル部分の障害釘の植設構造の変形例を示す分解斜視図である。
【符号の説明】
１…パチンコ機
２…前面パネル
２ａ，２ｂ…透明部
３ａ，３ｂ…裏パネル
４…前面ガラス
５，１５…障害釘
６，１６…一般入賞口
１１，１７…アウト口
１８ａ，１８ｂ，１８ｃ…導出口
１９…導入口
【図１】
0004546614.tif 000002
【図２】
0004546614.tif 000003
【図３】
0004546614.tif 000004
【図４】
0004546614.tif 000005